(57)【要約】【課題】最上階の避難ステージまで津波が襲来した場合でも、生命の安全を確保することが可能な津波避難用建造物を提供する。【解決手段】地面に立設された複数本の支柱１と、これらの支柱１に支持された避難ステージ２と、地面と避難ステージ２との間を結ぶ昇降手段（スロープ３および階段５）とを備えた津波避難用建造物において、最上階の避難ステージ２の避難スペースＳに、複数人がつかまることのできるバー２０を設置する。バー２０は、津波の襲来方向Ａと平行な方向に延びており、津波の襲来方向Ａと直交する方向に複数列設けられている。バー２０には、命綱用のベルトまたはロープが付設される。【選択図】図５
0003169231.tif 000002
【実用新案登録請求の範囲】
【請求項１】
地面に立設された複数本の支柱と、これらの支柱に支持された避難ステージと、地面と避難ステージとの間を結ぶ昇降手段とを備えた津波避難用建造物において、
最上階の避難ステージの避難スペースに、複数人がつかまることのできるバーを設置したことを特徴とする津波避難用建造物。
【請求項２】
請求項１に記載の津波避難用建造物において、
前記バーに、避難者の身体を繋ぎ留めるための繋留手段を付設したことを特徴とする津波避難用建造物。
【請求項３】
請求項２に記載の津波避難用建造物において、
前記繋留手段は、ベルトまたはロープと、当該ベルトまたはロープの両端を前記バーに連結する連結部材とからなることを特徴とする津波避難用建造物。
【請求項４】
請求項２に記載の津波避難用建造物において、
前記繋留手段は、浮輪と、この浮輪を前記バーに連結する連結部材とからなることを特徴とする津波避難用建造物。
【請求項５】
請求項１ないし請求項４のいずれかに記載の津波避難用建造物において、
前記バーは、津波の襲来方向と平行な方向に延びていることを特徴とする津波避難用建造物。
【請求項６】
請求項５に記載の津波避難用建造物において、
前記バーは、津波の襲来方向と直交する方向に複数列設けられていることを特徴とする津波避難用建造物。
【考案の詳細な説明】
【技術分野】
【０００１】
本考案は、地震の発生に伴って襲来する津波に対して、安全な避難場所を提供する津波避難用建造物に関する。
【背景技術】
【０００２】
平成２３年３月１１日に発生した東北地方太平洋沖地震（東日本大震災）は、地震の規模としては過去最大級のものであり、地震に伴って発生した巨大な津波が東北地方の沿岸部を襲い、広範囲にわたって甚大な被害をもたらした。特に、今回の津波はその巨大さゆえに、例えば３階建ての建物を屋上まで丸ごと呑み込んだり、安全と思われていた場所にある避難所にまで襲来したために、多数の人命が失われる結果となった。
【０００３】
津波対策としては、水門や防波堤の増強などもあるが、今回の震災で、高さが７ｍ以上もの水門を超えた津波が街に流れ込んだり、絶対大丈夫と思われていた防波堤が簡単に破壊されたりした例をみても、これらの対策が完全なものでないことがわかる。そこで、このような対策とは別に、巨大津波に対してどのように避難場所を確保するかの検討が重要な課題となる。
【０００４】
地震発生後に津波警報が出された場合、海岸から離れた高い場所へ一刻も早く避難することが緊要である。そこで、既存の公共施設や高層建築物などが避難場所として指定され、津波警報発令時にはそこへ避難するようになっている。しかし、今回のように建物の屋上まで呑み込むような巨大な津波が襲来した場合、既存の避難場所の安全性は万全とは言えない。また、避難場所が遠く離れていて、津波が到来するまでに避難が間に合わないと、逃げ遅れて津波に呑みこまれてしまうことになる。さらに、高齢者や身体障害者の場合は、避難に時間を要したり、自力での避難が困難であるという事情がある。
【０００５】
こうしたことから、将来大地震の発生する可能性のある地域では、避難場所の見直しや整備に向けた取り組みが始まっている自治体もある。例えば、静岡県の焼津市では、全ての津波避難ビルに対して、立地、建物の高さ、避難所要時間などを検証し、条件が満たされない場合は、海岸から離れた場所に新たな避難施設を設けることなどが検討されている（平成２３年４月５日付け静岡新聞）。
【０００６】
津波から身を守るための避難施設に関しては、これまでにも種々のものが提案されている。例えば、後掲の特許文献１〜４には、地面に立設された複数本の支柱と、これらの支柱の上部に設けられた避難ステージと、地面と避難ステージとの間を結ぶ階段やスロープ等の昇降手段とを備えた津波避難用建造物が記載されている。
【０００７】
特許文献１の津波避難用建造物においては、最上階の避難ステージに、救助用のヘリコプターが離着陸できるヘリポートが設けられているとともに、防災・救急時に必要なものを保管する保管庫、照明設備、防災放送用のスピーカーなどが設けられている。
【０００８】
特許文献２の津波避難用建造物においては、最上階の避難ステージに、避難用設備として、人や資材を乗せるパレットを昇降させるための巻上機や、この巻上機に電力を供給するための太陽光発電装置などが設けられている。
【０００９】
特許文献３の津波避難用建造物においては、複数の支柱間の下部に、交番・消防署・救助ステーション等の特定目的のための構築体が設けられている。また、扉を備えた避難用のコンテナを避難ステージに設置した例も示されている。
【００１０】
特許文献４の津波避難用建造物においては、地面と避難ステージとの間を結ぶ昇降手段として、階段とゴンドラが設けられており、また、最上階の避難ステージには、ヘリポートが設けられている。
【先行技術文献】
【特許文献】
【００１１】
【特許文献１】特開２００８−１４０１６号公報
【特許文献２】特開２００６−８３５４９号公報
【特許文献３】特開２００６−１７７１３８号公報
【特許文献４】特開２００６−１１２０８７号公報
【考案の概要】
【考案が解決しようとする課題】
【００１２】
上記の各特許文献で提案されている津波避難用建造物は、支柱と避難ステージと昇降手段という基本構造からなり、地面から昇降手段（階段、スロープ等）を通って最上階の避難ステージへ避難することにより、津波の襲来に対して安全な場所を確保するものである。
【００１３】
しかしながら、これらの津波避難用建造物においては、最上階まで達するような巨大津波が襲来した場合には、最上階の避難ステージにいる避難者は津波に呑み込まれて流されてしまうおそれがある。また、特許文献１や特許文献４の建造物のように、最上階の避難ステージにヘリポートを設けた場合でも、巨大津波が襲来する前にヘリコプターが到着しなければ、命が助かるという保証はない。
【００１４】
そこで、本考案は、最上階の避難ステージまで津波が襲来した場合でも、生命の安全を確保することが可能な津波避難用建造物を提供することを目的とする。
【課題を解決するための手段】
【００１５】
本考案に係る津波避難用建造物は、地面に立設された複数本の支柱と、これらの支柱に支持された避難ステージと、地面と避難ステージとの間を結ぶ昇降手段とを備えた津波避難用建造物であって、最上階の避難ステージの避難スペースに、複数人がつかまることのできるバーを設置したものである。
【００１６】
このようにしたことで、最上階の避難ステージまで津波が襲来した場合でも、避難ステージにいる避難者は、バーにつかまることによって、津波に流されてしまうのを免れるので、生命の安全を確保することができる。
【００１７】
本考案においては、バーに、避難者の身体を繋ぎ留めるための繋留手段を付設することが望ましい。これによると、津波の勢いによりたとえバーから手が離れたとしても、繋留手段が命綱となって身体がバーに繋ぎ留められるので、津波によって流されてしまうのを未然に防止することができる。
【００１８】
繋留手段は、例えば、ベルトまたはロープと、当該ベルトまたはロープの両端をバーに連結する連結部材とからなる。これによると、バーに垂れ下がったベルトやロープをくぐるだけで、身体を容易にバーに繋留することができる。
【００１９】
あるいは、繋留手段を、浮輪と、この浮輪をバーに連結する連結部材とから構成してもよい。これによると、万一津波に流されてしまった場合でも、浮輪が救命具となって、生存可能性を高めることができる。
【００２０】
また、本考案においては、バーが津波の襲来方向と平行な方向に延びていることが望ましい。これによると、バーにつかまった状態では、身体の正面から津波が襲うことがないので、バーから手が離れてしまうのを極力抑制することができる。
【００２１】
この場合、バーは津波の襲来方向と直交する方向に複数列設けられていることが望ましい。これによると、避難スペースに多数のバーを設けることができるとともに、全てのバーが津波の襲来方向と平行な方向に延びているため、避難スペースにおける避難者の数が多くなっても、全員の安全を確保することができる。
【考案の効果】
【００２２】
本考案によれば、最上階の避難ステージの避難スペースに、複数人がつかまることのできるバーを設置したので、最上階の避難ステージまで津波が襲来した場合でも、バーにつかまることによって、津波に流されることなく生命の安全を確保することができる。
【図面の簡単な説明】
【００２３】
【図１】本考案に係る津波避難用建造物を示した正面図である。
【図２】本考案に係る津波避難用建造物を示した断面図である。
【図３】津波避難用建造物の１階の平面図である。
【図４】津波避難用建造物の中間階の平面図である。
【図５】津波避難用建造物の最上階の平面図である。
【図６】繋留手段の例を示した正面図である。
【図７】繋留手段の他の例を示した正面図である。
【考案を実施するための形態】
【００２４】
以下、本考案の実施形態につき、図面を参照しながら説明する。各図において、同一部分または対応部分には、同じ符号を付してある。
【００２５】
図１に示すように、本考案に係る津波避難用建造物１００は、地面Ｇに立設された複数本の支柱１と、これらの支柱１の上部に支持された避難ステージ２と、地面Ｇと避難ステージ２との間を結ぶ昇降手段としてのスロープ３を備えている。また、図２に示すように、昇降手段としての階段５も備えている。
【００２６】
支柱１は鉄骨材からなり、例えば、岩盤までの杭基礎により地盤に固定される。そして、図３〜図５に示すように、６本の支柱１が六角形の頂点の位置に配置されている。各支柱１は、水平方向に架設される梁１２によって連結される。支柱１を構成する鉄骨材には、海風等による塩害（腐食）に対処できる仕上加工が施されている。
【００２７】
図１に示すように、津波避難用建造物１００は、梁１２によって１階〜６階に区分けされている。１階は、最下部の梁１２と地面Ｇとの間の空間であり、６階は避難ステージ２のある最上階であり、１階と６階の間に、中間階として２〜５階が設けられる。２〜５階は、床がなく吹き抜け構造となっている。避難ステージ２の床高さは、例えば、地面Ｇから１２ｍとなるように設計されている。
【００２８】
スロープ３は、図１に示すように、１階から６階に向けて緩やかな勾配（例えば１／１０勾配）で上昇するよう、螺旋状に設けられている。また、人間工学的観点から、スロープ３は左廻りとなっている。このスロープ３は、水が滞留しないように格子状のグレーティング材から形成されており、両側に安全柵４が設けられている。
【００２９】
階段５は、図２に示すように、１階から６階に向けて比較的急な勾配で設けられている。この階段５も、水が滞留しないように格子状のグレーティング材から形成されており、両側に安全柵９（図３〜図５）が設けられている。
【００３０】
図３は、1階部分の平面図である。1階部分には、エントランス部１０と、これに続くアプローチ部１１とがあり、アプローチ部１１の前方に階段５が設けられている。また、エントランス部１０には、スロープ３が続いている。体力のない者や身体障害者等は、スロープ３を利用することで、無理なく最上階の避難ステージ２へ向かうことができる。一方、体力のある者は、階段５を利用することで、短時間で最上階の避難ステージ２へ向かうことができる。このように、スロープ３と階段５とを併設したので、避難者は、自分に適した避難経路を選択することができる。
【００３１】
図４は、中間階（２階〜５階）の平面図である。図中の符号１３は、補強用の梁を示している。前述したように、中間階は床がなく、スロープ３の内側は吹き抜け構造となっている。
【００３２】
図５は、最上階である６階の平面図である。最上階は、床８を有する避難ステージ２となっている。床８は、梁１２、１３を介して支柱１に支持されており、周囲に安全柵６が設けられている。この床８も、水が滞留しないように格子状のグレーティング材から形成されている。避難ステージ２には、例えば、５０名以上が避難できる程度の避難スペースＳが確保されている。そして、この避難スペースＳに、本考案の特徴であるバー（手摺）２０が設けられている。
【００３３】
図６に示すように、バー２０は、床８と平行に設けられている。この例では、バー２０の一端（右端）は、床８に立設されたポール２３に支持されており、バー２０の他端（左端）は、支柱１に連結されている。バー２０は、複数人がつかまることのできる長さを有しており、また、成人の腹部付近に位置するような高さとなっている。バー２０とポール２３は、頑丈な鉄製のパイプまたは棒から形成されている。このようなバー２０を設置したことにより、最上階の避難ステージ２まで津波が襲来した場合でも、避難ステージ２にいる避難者は、バー２０につかまることによって、津波に流されてしまうのを免れることができる。
【００３４】
また、本実施形態では、生命の安全をより確実なものとするため、バー２０に、避難者の身体を繋ぎ留めるための繋留手段が付設される。図６の例では、繋留手段として、ベルト（またはロープ）２１と、このベルト２１の両端をバー２０に連結する連結部材２２とが用いられる。連結部材２２は、ベルト２１の両端に設けられたリングからなる。このリング２２をバー２０に通すことにより、ベルト２１の両端がバー２０に保持され、ベルト２１はバー２０から垂れ下がった状態となる。なお、リング２２はバー２０の定位置に固定してもよいし、バー２０の長さ方向（水平方向）に自由に移動可能としてもよい。
【００３５】
このような繋留手段を設けたことにより、避難者は、バー２０に垂れ下がったベルト２１を下からくぐるだけで、身体を容易にバー２０に繋留することができる。図６では、バー２０の向こう側にいる避難者７ａ，７ｂは、ベルト２１を腹部にあてがっており、バー２０の手前側にいる避難者７ｃ，７ｄは、ベルト２１を腰部にあてがっている。このため、津波の勢いによりたとえバー２０から手が離れたとしても、ベルト２１が命綱となって身体がバー２０に繋ぎ留められるので、津波によって流されてしまうことが未然に防止される。
【００３６】
ところで、図５に示したように、バー２０は、津波の襲来方向Ａに対して、平行な方向に延びている。このため、避難者７は、バー２０につかまった状態で、身体の正面から津波に襲われることがないので、津波の勢いによってバー２０から手が離れてしまうのを極力抑制することができる。（但し、本考案は、バー２０が、津波の襲来方向Ａに対して直交する方向または傾斜する方向に延びている実施形態を排除するものではない。）
【００３７】
また、図５に示したように、バー２０は、津波の襲来方向Ａと直交する方向に、複数列設けられている。このため、避難スペースＳに多数のバー２０を設けることができるとともに、全てのバー２０が津波の襲来方向Ａと平行な方向に延びているため、避難スペースＳにおける避難者７の数が多くなっても、全員の安全を確保することができる。（但し、本考案は、バー２０が１列のみ設けられている実施形態を排除するものではない。）
【００３８】
また、図５に示したように、避難ステージ２の平面形状は、津波の襲来方向Ａに対して傾斜した辺を有する六角形となっている。このため、津波を傾斜辺に沿って逃がすことができ、これによって避難ステージ２に加わる津波の力が緩和されるので、避難ステージ２が押し流されるのを防止することができる。
【００３９】
図７は、繋留手段の他の例を示している。ここでは、浮輪３０と、この浮輪３０をバー２０に連結する連結部材とで繋留手段が構成される。連結部材は、浮輪３０に結ばれたロープ３１と、このロープ３１をバー２０に連結する連結具３２とからなる。連結具３２は、バー２０の定位置に固定してもよいし、バー２０の長さ方向（水平方向）に自由に移動可能としてもよい。
【００４０】
このように繋留手段として浮輪３０を設けた場合は、避難者は、浮輪３０を胴部に装着することで、身体を容易にバー２０に繋留することができる。そして、津波の力でロープ３１が切れて身体がバー２０から離れ、津波に流されてしまった場合でも、浮輪３０が救命具となるため、生存の可能性を高めることができる。
【００４１】
本考案は、上述した実施形態のみに限定されるものではなく、他にも種々の実施形態を採用することができる。例えば、前記の実施形態では、最上階を６階としたが、最上階は７階以上または６階未満であってもよい。また、避難ステージ２の床高さとして示した１２ｍは、あくまで一例であって、状況に応じて任意の高さに設定することができる。
【００４２】
また、前記の実施形態では、中間階（２〜５階）が床のない吹き抜け構造となっているが、必要により中間階の全部または一部に床を設けてもよい。
【００４３】
また、前記の実施形態では、ベルト２１や浮輪３０をバー２０に直接取り付けた例を挙げたが、例えば、バー２０を支持するポール２３（図６、図７）を、バー２０に沿って所定間隔で複数本設け、各ポール２３にベルト２１や浮輪３０を取り付けてもよい。
【００４４】
また、前記の実施形態では、繋留手段として、バー２０に連結されたベルト２１や浮輪３０を例を挙げたが、これに代えて、ライフジャケット（救命胴衣）をロープでバー２０に連結し、繋留手段としてもよい。
【００４５】
また、前記の実施形態では、避難ステージ２の平面形状は六角形であったが、これに限らず、三角形、四角形、菱形、台形、円、楕円など、任意の平面形状とすることができる。
【符号の説明】
【００４６】
１    支柱
２    避難ステージ
３    スロープ
５    階段
２０  バー
２１  ベルト（ロープ）
２２  リング
２３  ポール
３０  浮輪
３１  ロープ
３２  連結具
１００  津波避難用建造物
Ｇ    地面
Ｓ    避難スペース
【図１】
0003169231.tif 000003
【図２】
0003169231.tif 000004
【図３】
0003169231.tif 000005
【図４】
0003169231.tif 000006
【図５】
0003169231.tif 000007
【図６】
0003169231.tif 000008
【図７】
0003169231.tif 000009